(57)【特許請求の範囲】
【請求項１】
データ記録用メディアの装着が可能であると共に、内蔵した電池を電源として、データ記録用メディアに格納されている画像ファイルを読み出して、データ保存用メディアに書き込み、若しくはデータ保存用メディアに格納されている画像ファイルを読み出して、データ記録用メディアに書き込むことが可能な電子アルバム装置において、電池の残存電力量を複数段階でレベル表示するための表示手段と、該表示手段のレベル表示動作を制御する制御手段とを具え、該制御手段は、
メディア間の画像ファイルのデータコピー時に、コピーすべきデータ量を算出する手段と、
電池の残存電力量に応じた電池状態値を検出する手段と、
検出された電池状態値を所定の複数の閾値と比較して、前記レベル表示のためのレベル値を導出する手段と、
前記算出されたデータ量に応じて、前記複数の閾値を変更する手段と、
前記導出されたレベル値に応じてレベル表示動作を制御する手段
とを具えていることを特徴とする電子アルバム装置。
【請求項２】
閾値変更手段は、算出されたデータ量が多い程、前記各レベル値に対応する閾値を大きく設定する請求項１に記載の電子アルバム装置。
【請求項３】
電池状態値は、電池の出力電圧である請求項１又は請求項２に記載の電子アルバム装置。
【発明の詳細な説明】
【０００１】
【発明の属する技術分野】
本発明は、例えばデジタルカメラを用いた撮影によって得られた画像ファイルを蓄積することが可能な電子アルバム装置に関するものである。
【０００２】
【従来の技術】
従来、デジタルカメラにおいては、撮影によって得られた画像データを記録するために、コンパクトフラッシュ(Compact Flash(登録商標)；以下、ＣＦカードという)や、スマートメディア(Smart Media(登録商標)；以下、ＳＭカードという)等、数十ＭＢ程度の容量を有する小型のメモリカードが用いられており、カメラ本体に設けられたメモリカードコネクターにメモリカードを差し込んだ状態で、該メモリカードに複数枚の静止画や動画の画像データを記録することが可能である。
【０００３】
しかしながら、１枚のメモリカードに記録出来る画像の枚数は限られており、多量の画像を保存するには、多数枚のメモリカードが必要であるため、メモリカードの管理が煩雑となるばかりでなく、多量の画像の中から所望の画像を検索する場合、メモリカードを頻繁に差し替える必要があり、操作が煩雑である問題があった。
【０００４】
そこで、出願人は、メモリカードの装着が可能であって、ユーザによる保存釦の操作に応じて、該メモリカードに記録されている全ての画像データを読み出して、内蔵のＣＤ−Ｒ(Compact Disc-recordable)に記録することが出来る電子アルバム装置を開発した(特開2000-311106号[G06F12/00]参照)。
該電子アルバム装置においては、デジタルカメラの記録メディアがＣＦカードである場合とＳＭカードである場合を考慮して、ＣＦカードとＳＭカードの２種類のメモリカードをセットすることが可能であり、任意の何れか一方のメモリカードとＣＤ−Ｒの間でデータのコピーを行なうことが出来る。
該電子アルバム装置によれば、例えば６４０ＭＢの容量を有するＣＤ−Ｒに対して、メモリカード約１０枚分の静止画を書き込むことが出来るので、多量の静止画を対象とする一括管理が可能となる。
【０００５】
【発明が解決しようとする課題】
ところで、電子アルバム装置は、携帯可能とするために電池を電源として動作することが可能となっているが、この電池が使用によって残存電力量の少ない状態となっているときに、一方のメディアから他方のメディアへ多数枚の静止画をコピーすべき指令が発せられると、電池の電力量の不足によってコピーが途中で中断される虞れがある。
そこで、電池の残存容量を図６の如く複数段階でレベル表示して、ユーザに電池の残存容量に対する注意を促すことが行なわれる。
又、残存電力量の少ない状態では、コピーするデータ量に関係なく、コピー指示を受け付けないこととして、コピーが途中で中断されることを回避していた。
【０００６】
しかしながら、一方のメディアから他方のメディアへのデータのコピーが途中で中断することなく最後まで行なわれるかどうかは、電池の残存容量のみならず、そのコピーのデータ量にも依るから、単に電池の残存容量を図６に如く表示しただけでは、ユーザは判断を誤ることがあり、データのコピーが予期せず途中で中断してしまう問題があった。
【０００７】
そこで本発明の目的は、一方のメディアから他方のメディアへのデータのコピー時に電池の消耗によってコピーが途中で中断する可能性について、ユーザが判断を誤る虞れが少なく、或いは、データのコピーが予期せず途中で中断する虞れの少ない電子アルバム装置を提供することである。
【０００８】
【課題を解決する為の手段】
本発明に係る電子アルバム装置は、データ記録用メディアの装着が可能であると共に、内蔵した電池を電源として、データ記録用メディアに格納されている画像ファイルを読み出して、データ保存用メディアに書き込み、若しくはデータ保存用メディアに格納されている画像ファイルを読み出して、データ記録用メディアに書き込むことが可能であり、電池の残存電力量を複数段階でレベル表示するための表示手段と、該表示手段のレベル表示動作を制御する制御手段とを具えている。
ここで、制御手段は、
メディア間の画像ファイルのデータコピー時に、コピーすべきデータ量を算出する手段と、
電池の残存電力量に応じた電池状態値(例えば電池の出力電圧)を検出する手段と、
検出された電池状態値を所定の複数の閾値と比較して、前記レベル表示のためのレベル値を導出する手段と、
前記算出されたデータ量に応じて、前記複数の閾値を変更する手段と、
前記導出されたレベル値に応じてレベル表示動作を制御する手段
とを具えている。
具体的には、閾値変更手段は、算出されたデータ量が多い程、前記各レベル値に対応する閾値を大きく設定する。
【０００９】
上記本発明の電子アルバム装置においては、例えばコピーのデータ量が多い場合、レベル値を導出するための閾値が大きく設定され、逆にコピーのデータ量が少ない場合は、閾値が小さく設定される。この結果、表示手段に表示されるレベルは、電池状態値が同じであっても、コピーのデータ量が多い場合は、データ量が少ない場合に比べて、低めの値となって、レベル表示されることになる。
この様に、電池の残存容量のレベル表示は、コピーのデータ量を加味したものとなって、ユーザに注意を促すので、ユーザは、データのコピー時に電池の消耗によってコピーが途中で中断する可能性について、判断を誤ることが少なくなる。
【００１３】
【発明の効果】
本発明に係る電子アルバム装置によれば、一方のメディアから他方のメディアへのデータコピー時に電池の消耗によってコピーが途中で中断する可能性について、ユーザが判断を誤る虞れは少なくなり、或いは、データコピーが予期せず途中で中断する虞れは少なくなる。
【００１４】
【発明の実施の形態】
以下、本発明の実施の形態につき、図面に沿って具体的に説明する。
本発明に係る電子アルバム装置は、図１に示す如く、携帯可能な小型の筐体(１)を具え、該筐体(１)の前面には、ＣＦカード挿入口(12)とＳＭカード挿入口(13)が開設されており、それぞれＣＦカード(２)とＳＭカード(３)を挿入することが出来る。ＣＦカード(２)は、ＣＦカード挿入口(12)へ挿入することによって、筐体(１)内にカード全体が収容されて、所定のデータ書込み／読出し位置(図示省略)にセットされる。ＳＭカード(３)は、ＳＭカード挿入口(13)へ挿入することによって、その一部が筐体(１)から外部へ突出した状態で、所定のデータ書込み／読出し位置(図示省略)にセットされる。
【００１５】
又、筐体(１)には、図１に示すディスク取出しレバー(20)の操作によって鎖線で示す如く開くカンガルーポケット式の蓋(11)が配備され、蓋(11)を開いた状態で、蓋(11)の裏側に設けられたホルダー(図示省略)へ光磁気ディスク(４)を装着した後、蓋(11)を閉じることによって、該光磁気ディスク(４)を所定の記録／再生位置にセットすることが出来る。
【００１６】
筐体(１)の表面中央部には、種々の情報を表示するためのディスプレイ(14)と、カードメディアとディスクメディアの間でデータのコピーを行なう際に操作すべき保存釦(15)と、ディスプレイ(14)に表示された複数の動作の中から１つの動作を設定する際に操作すべきセット釦(16)と、複数の動作の中から１つの動作を選択する際に操作すべき選択釦(19)と、選択した動作を取り消す際に操作すべき取消し釦(17)とが配備されている。
又、保存釦(15)の両側には、ＣＦカード(２)又はＳＭカード(３)から光磁気ディスク(４)へのデータのコピーが実行されるのか、或いは、光磁気ディスク(４)からＣＦカード(２)又はＳＭカード(３)へのデータのコピーが実行されるのかを示す、一対の矢印マークの第１ＬＥＤ(８)と第２ＬＥＤ(81)が配備されている。
更に又、筐体(１)の側面には、電源スイッチ(18)が配備されている。
【００１７】
上記電子アルバム装置においては、ＣＦカード(２)やＳＭカード(３)に、予めデジタルカメラで撮影した静止画や動画の画像データが書き込まれており、これらの画像データを光磁気ディスク(４)にコピーして蓄積することが出来る。
又、光磁気ディスク(４)に記録されている画像データをＣＦカード(２)或いはＳＭカード(３)に書き戻すことも可能である。
【００１８】
図２は、上記電子アルバム装置の機器構成を表わしており、主要回路として、所定の制御動作を実行するマイクロコンピュータ(５)と、マイクロコンピュータ(５)との間で通信を行ないつつ所定の信号処理を実行するＡＳＩＣ(51)とが装備されている。
ＡＳＩＣ(51)には、光磁気ディスク(４)を駆動するディスクドライブ装置(62)と、ＣＦカード(２)が差し込まれるＣＦカードコネクター(６)と、ＳＭカード(３)が差し込まれるＳＭカードコネクター(61)が接続されると共に、パーソナルンピュータ等の外部機器を接続するためのＵＳＢコネクター(63)やＩＥＥＥ１３９４コネクター(64)が接続されている。
又、ＡＳＩＣ(51)には、種々のデータ処理に利用されるメモリ(52)が接続されている。
【００１９】
マイクロコンピュータ(５)には、ＣＦカード(２)を検出するためのカード検出器(７)と、ＳＭカード(３)を検出するためのカード検出器(71)が接続されると共に、前述の各種操作釦からなるキー入力装置(10)や、前述のディスプレイ(14)、第１ＬＥＤ(８)及び第２ＬＥＤ(81)が接続されている。
又、電源となる電池(54)の電力を各回路ブロックへ供給するための電源回路(53)が装備され、マイクロコンピュータ(５)によって電力供給動作が制御されている。
【００２０】
上記電子アルバム装置においては、筐体(１)内に光磁気ディスク(４)がセットされている状態で、ユーザが、画像データの書き込まれているＣＦカード(２)を筐体(１)のＣＦカード挿入口(12)へ挿入し、保存釦(15)を操作すると、ＣＦカード(２)から光磁気ディスク(４)へデータのコピーが行なわれる。又、画像データの書き込まれているＳＭカード(３)を筐体(１)のＳＭカード挿入口(13)に挿入し、保存釦(15)を操作すると、ＳＭカード(３)から光磁気ディスク(４)へデータのコピーが行なわれる。
尚、光磁気ディスク(４)からＣＦカード(２)又はＳＭカード(３)へデータのコピーを行なう場合には、モード選択で設定を切り換える。
【００２１】
図３は、データコピー時の制御手続きを表わしている。
先ずステップＳ１にて、メディアが装着されたかどうかを判断し、イエスと判断されたとき、ステップＳ２にて、コピーすべきフォルダーが指定されたかどうかを判断する。フォルダーが指定されてイエスと判断されたときは、ステップＳ３に移行して、コピーすべきデータの量を計算する。その後、ステップＳ４では、電池の残存電力量をレベル表示する際に必要となる電圧閾値を、データ量に応じて変更する。
【００２２】
図４は、電圧閾値をデータ量に応じて変更する手続きを表わしている。先ずステップＳ４１では、データ量が１００ＭＢよりも少ないかどうかを判断し、ここでイエスと判断されたときは、ステップＳ４２にて、電圧閾値を変更する。例えば、図６に示す如く電池残存電力量を８段階でレベル表示する場合、電池残存電力量の指標として電池の出力電圧を検出し、該電圧値と比較すべき８つの閾値を図示の如く低い値に設定する。
データ量が１００ＭＢ以上の場合は、図４のステップＳ４３にてデータ量が５１２ＭＢよりも少ないかどうかを判断し、ここでイエスと判断されたときは、ステップＳ４４にて、電圧閾値を変更する。例えば、図６に示す如く電池の電圧値と比較すべき８つの閾値を、ステップＳ４２の閾値よりは大きな中間的な値に設定する。
データ量が５１２ＭＢ以上の場合は、図４のステップＳ４５にてデータ量が１０２４ＭＢよりも少ないかどうかを判断し、ここでイエスと判断されたときは、ステップＳ４６にて、電圧閾値を変更する。例えば、図６に示す如く電池の電圧値と比較すべき８つの閾値を、ステップＳ４４の閾値よりも大きな値に設定する。
【００２３】
そして、図３のステップＳ５では、電池の電圧値によって残存電力量をチェックし、該電圧値を前記設定された８つの閾値と比較して、０〜７のレベル値を判定した後、ステップＳ６にて、判定されたレベル値を表示する。
次にステップＳ６′では、保存釦が押下されたかどうかを判断し、イエスと判断されたとき、ステップＳ７では、電池レベルがゼロであるかどうかを判断し、ノーと判断されたときはステップＳ８にてデータ保存動作を開始し、イエスと判断されたときは、手続きを終了する。保存動作の開始後、ステップＳ９では、保存が終了したかどうかを判断し、イエスと判断されたとき、手続きを終了する。
【００２４】
図３及び図４に示す制御手続きによれば、コピーのデータ量が多い場合には、電圧閾値が大きく設定され、逆にデータ量が少ない場合は、電圧閾値が小さく設定されるので、レベル表示は、電池の出力電圧が同じであっても、コピーのデータ量が多い場合は、データ量が少ない場合に比べて、低めの値を示すことになる。従って、ユーザは、電池の消耗によってコピーが途中で中断する可能性についての判断を誤ることが少なくなる。
又、電池残存電力量が少ない場合であっても、電池レベルがゼロでない限り、保存釦の操作によってコピーを実行することが出来るので、コピーのデータ量が少ないときには最後までコピーを行なうことが出来る。
【００２５】
図５は、電池レベルとデータ量に応じてデータコピーを制御する手続きを表わしている。先ずステップＳ１１では、メディアが装着されたかどうかを判断し、イエスと判断されたとき、ステップＳ１２にて、コピーすべきフォルダーが指定されたかどうかを判断する。フォルダーが指定されてイエスと判断されたときは、ステップＳ１３に移行して、コピーすべきデータの量Ａを計算する。その後、ステップＳ１４では、電池の電圧値によって残存電力量をチェックし、該電圧値と前記設定された８つの閾値と比較して、０〜７のレベル値Ｌを判定した後、ステップＳ１５にて、判定されたレベル値Ｌを表示する。
【００２６】
次にステップＳ１５′では、保存釦が押下されたかどうかを判断し、イエスと判断されたときは、更にステップＳ１６にて、電池レベルＬが０であるかどうかを判断し、イエスと判断されたときは手続きを終了する。ノーと判断されたときは、ステップＳ１７に移行して、電池レベルが１若しくは２であるかどうかを判断し、イエスと判断されたときは、ステップＳ１８に移行して、データ量Ａが１００ＭＢよりも少ないかどうかを判断する。ここでノーと判断されたときは手続きを終了し、イエスと判断されたときは、ステップＳ２４に移行して、データ保存動作を開始する。
ステップＳ１７にてノーと判断されたときは、ステップＳ１９に移行して、電池レベルが３若しくは４であるかどうかを判断し、イエスと判断されたときは、ステップＳ２０に移行して、データ量Ａが５１２ＭＢよりも少ないかどうかを判断する。ここでノーと判断されたときは手続きを終了し、イエスと判断されたときは、ステップＳ２４に移行して、データ保存動作を開始する。
【００２７】
ステップＳ１９にてノーと判断されたときは、ステップＳ２１に移行して、電池レベルが５若しくは６であるかどうかを判断し、イエスと判断されたときは、ステップＳ２２に移行して、データ量Ａが１０２４ＭＢよりも少ないかどうかを判断する。ここでノーと判断されたときは手続きを終了し、イエスと判断されたときは、ステップＳ２４に移行して、データ保存動作を開始する。
ステップＳ２１にてノーと判断されたときは、ステップＳ２３に移行して、電池レベルが７であるかどうかを判断する。ここでノーと判断されたときは、手続きを終了し、イエスと判断されたときは、ステップＳ２４に移行して、データ保存動作を開始する。
保存動作開始後、ステップＳ２５では、保存が終了したかどうかを判断し、イエスと判断されたとき、手続きを終了する。
【００２８】
図５に示す制御手続きによれば、電池残存電力量のレベル値Ｌとコピーのデータ量Ａとに応じて、コピーが最後まで行なわれる可能性が高い場合は、データコピーが許可され、コピーが途中で中断される可能性が高い場合は、データコピーが拒否されるので、データのコピーが予期せず途中で中断する虞れは少なくなる。
例えば電池残存電力量が少ない場合であっても、コピーのデータ量が少ないときには、全データのコピーを行なうことが出来る。
【図面の簡単な説明】
【図１】本発明に係る電子アルバム装置の外観を示す斜視図である。
【図２】該電子アルバム装置の構成を示すブロック図である。
【図３】データコピー時の制御手続きを表わすフローチャートである。
【図４】電池閾値の変更手続きを表わすフローチャートである。
【図５】データコピー時の他の制御手続きを表わすフローチャートである。
【図６】電池の残存電力量に応じたレベル表示例を示す図である。
【符号の説明】
(１)  筐体
(11)  蓋
(12)  ＣＦカード挿入口
(13)  ＳＭカード挿入口
(14)  ディスプレイ
(15)  保存釦
(４)  光磁気ディスク
(２)  ＣＦカード
(３)  ＳＭカード
(５)  マイクロコンピュータ
(51)  ＡＳＩＣ
(７)  カード検出器
(71)  カード検出器
【図１】
0004073225.tif 000002
【図２】
0004073225.tif 000003
【図３】
0004073225.tif 000004
【図４】
0004073225.tif 000005
【図５】
0004073225.tif 000006
【図６】
0004073225.tif 000007